(57)【要約】【課題】顧客の意図を反映した補正量を容易に入力できる受付技術を提供する。【解決手段】受付部２１は、顧客から複数の画像データを取得し、当該画像データを画像プリントするためのオーダを受付ける。補正量取得部２２は、顧客が入力した各々の画像データに対する補正量を取得し、画像データと関連付けて記憶させる。また、基準画像識別情報取得部４２と変更指示取得部４３とが顧客が入力した情報から基準画像識別情報と変更指示とを取得する。対象画像識別情報取得部は、対象となる画像データを識別可能な情報を取得する。補正量決定部４４は、基準画像識別情報に関連付けられている補正量と変更指示とに基づき、補正量を決定し、対象となる画像データの補正量を決定した補正量とする。【選択図】図２
2010117660.tif 000002
【特許請求の範囲】
【請求項１】
顧客から複数の画像データを取得し、当該画像データを画像プリントするためのオーダを受付ける受付部と、
前記画像データに対する補正量を当該画像データと関連付けて記憶する補正量記憶部と、
各々の前記画像データに対する補正量を取得すると共に前記補正量記憶部に記憶させる補正量取得部と、
基準となる一の前記画像データを識別可能な情報を取得する基準画像識別情報取得部と、
対象となる前記画像データを識別可能な情報を取得する対象画像識別情報取得部と、
前記基準となる一の画像データの補正量に対する変更指示を取得する変更指示取得部と、
前記基準となる一の画像データの補正量と前記変更指示に基づき補正量を決定する補正量決定部と、を備え、
前記補正量記憶部は、前記対象となる画像データに対する補正量を前記補正量決定部により決定された補正量として記憶することを特徴とする受付装置。
【請求項２】
コメントを取得するコメント取得部と、
前記入力されたコメントを解析することにより、前記基準となる一の画像データを識別可能な情報と、前記対象となる画像データを識別可能な情報と、前記変更指示とを取得するコメント解析部と、を備えたことを特徴とする請求項１記載の受付装置。
【請求項３】
顧客から複数の画像データを取得し、当該画像データを画像プリントするためのオーダを受付ける受付ステップと、
各々の前記画像データに対する補正量を取得すると共に、当該画像データと当該補正量とを関連付けて記憶する補正量取得ステップと、
基準となる一の前記画像データを識別可能な情報を取得する基準画像識別情報取得ステップと、
対象となる前記画像データを識別可能な情報を取得する対象画像識別情報取得ステップと、
前記基準となる一の画像データの補正量に対する変更指示を取得する補正量変更指示取得ステップと、
前記基準となる一の画像データの補正量と前記変更指示に基づき補正量を決定すると共に、前記対象となる画像データと決定された当該補正量とを関連付けて記憶する補正量決定ステップと、を備えたことを特徴とする受付方法。
【発明の詳細な説明】
【技術分野】
【０００１】
本発明は、顧客から画像データを取得し、画像プリントを受け付ける受付技術に関する。特に、画像データに対する補正量を入力することができる受付技術に関する。
【背景技術】
【０００２】
近年の写真処理機器の進歩に伴い、写真処理機器が小型化、低価格化している。そのため、写真プリント店では、自身の店舗にミニラボと称せられる写真処理機器を設置し、ミニラボで顧客からのオーダを処理することにより、顧客に写真プリントを引渡すまでの時間を短縮することにより顧客の利便性を向上させると共に、独自性の高いプリント画像作り等により他店舗との差別化を図っている。
【０００３】
また、写真プリントのオーダを入力可能な受付装置を店舗に設置し、顧客自らが写真プリントのための画像データや写真プリントの枚数等のオーダ情報を入力可能にする店舗も増大している。このような受付装置を用いることで、店舗の省力化が図られている。
【０００４】
このような受付装置では、顧客自らが画像データに対する補正量を指定することが可能となっているものがある。しかしながら、一般の顧客が、画像データに対して補正量を指定することは容易ではない。まして、全ての画像データに対して個別に補正量を指定することは、かなり困難である。
【０００５】
このような問題点を解決するために、様々な方法が検討されている。例えば、特許文献１の技術では、顧客のプリント履歴を顧客ごとに個別に管理し、顧客からプリント注文を受けた画像の中から再プリントの注文を受けた画像を再プリント対象画像として前記プリント履歴に基づいて検出し、前記再プリント対象画像に対して以前に行った画質補正と同じ画質補正が施されるように、前記プリント履歴に基づいて画質補正の項目と補正量を設定している。これにより、一度画質補正を行えば、その履歴に基づき補正量が決定されるため、以降の画像プリント時の補正量の指定を省くことができる。
【０００６】
また、特許文献２の技術では、複数の撮影画像のそれぞれについて顔領域の情報を含む１以上の特徴を抽出し、抽出された前記特徴の少なくとも１つに応じて前記複数の撮影画像をグループ化し、前記グループ化によって同一のグループとされた前記撮影画像に対して、抽出した前記特徴およびそのグループの種別に応じて、顔領域を適切な色濃度にするための補正量を算出し、算出された前記補正量によって当該グループの前記撮影画像を補正している。これにより、各々の画像に対して補正量を指定しなくとも、画像が特徴等に基づきグループ化され、グループ毎に同じ補正量が適用される。
【０００７】
【特許文献１】特開２００６−１０７２９１（段落番号０００７−０００８、図２３）
【特許文献２】特開２００７−８７２５３（段落番号０００７−０００８、００２１、図２）
【発明の開示】
【発明が解決しようとする課題】
【０００８】
上述したように、特許文献１または２技術では、補正量指示の労力を低減することができるが、その補正が顧客の意図に合致しているとは限らない。したがって、顧客は決定された補正量が意図に合致しているか否かを確認しなければならない。また、意図に反している場合には、個別に補正量を指示しなければならない。そのため、全体の労力は低減されているとは言い難い。
【０００９】
本発明の課題は、上記実状に鑑み、顧客の意図を反映した補正量を容易に入力できる受付技術を提供することである。
【課題を解決するための手段】
【００１０】
前記課題を解決するために、本発明の受付装置は、顧客から複数の画像データを取得し、当該画像データを画像プリントするためのオーダを受付ける受付部と、前記画像データに対する補正量を当該画像データと関連付けて記憶する補正量記憶部と、各々の前記画像データに対する補正量を取得すると共に前記補正量記憶部に記憶させる補正量取得部と、基準となる一の前記画像データを識別可能な情報を取得する基準画像識別情報取得部と、対象となる前記画像データを識別可能な情報を取得する対象画像識別情報取得部と、前記基準となる一の画像データの補正量に対する変更指示を取得する変更指示取得部と、前記基準となる一の画像データの補正量と前記変更指示に基づき補正量を決定する補正量決定部と、を備え、前記補正量記憶部は、前記対象となる画像データに対する補正量を前記補正量決定部により決定された補正量として記憶する。
【００１１】
この構成では、顧客が一部の画像データに対して補正量を入力すると、その画像データと補正量とが関連付けて記憶される。さらに、既に入力した補正量と同じ補正量を適用したい画像がある場合には、顧客は基準となる画像データ、すなわち既に補正量を入力した画像データ（以下、基準画像と称する）を識別可能な情報（以下、基準画像識別情報と称する）と、対象となる画像データ、すなわち基準画像の補正量を適用したい画像データ（以下、対象画像と称する）を識別可能な情報（以下、対象画像識別情報と称する）と、その補正量をそのまま適用する、または、少し変更して適用する等を表す情報（変更指示）を入力することにより、補正量決定部が対象画像に対する補正量を決定する。これにより、顧客は全ての画像データに対して、個別に補正量を入力する労力を削減することができる。また、顧客の指示に基づき補正量を決定しているため、顧客の意図が反映された補正量を決定することができる。
【００１２】
また、本発明の受付装置は、コメントを取得するコメント取得部と、前記入力されたコメントを解析することにより、前記基準となる一の画像データを識別可能な情報と、前記対象となる画像データを識別可能な情報と、前記変更指示とを取得するコメント解析部と、を備えている。
【００１３】
この構成では、顧客が入力したコメントを言語解析することにより、補正量を決定するために必要な情報を取得できるため、顧客は容易に情報を入力することができる。特に、コメントは自由形式（フリーフォーマット）で入力可能であることが望ましい。
【００１４】
上述した本発明による受付装置の技術的特徴は、受付方法にも適用可能である。例えば、顧客から複数の画像データを取得し、当該画像データを画像プリントするためのオーダを受付ける受付ステップと、各々の前記画像データに対する補正量を取得すると共に、当該画像データと当該補正量とを関連付けて記憶する補正量取得ステップと、基準となる一の前記画像データを識別可能な情報を取得する基準画像識別情報取得ステップと、対象となる前記画像データを識別可能な情報を取得する対象画像識別情報取得ステップと、前記基準となる一の画像データの補正量に対する変更指示を取得する補正量変更指示取得ステップと、前記基準となる一の画像データの補正量と前記変更指示に基づき補正量を決定すると共に、前記対象となる画像データと決定された当該補正量とを関連付けて記憶する補正量決定ステップと、を備えている。当然ながら、このような受付方法も上述した受付装置で述べた作用効果を得ることができ、さらに上述した付加的技術を組み込むことも可能である。
【発明を実施するための最良の形態】
【００１５】
〔第１実施形態〕
以下に、本発明による受付装置を用いた受付システムの第１実施形態を図面に基づき説明する。図１は、本実施形態における受付システムＡの斜視図である。受付システムＡは、上部の受付装置ＡＵおよび下部の料金受領装置ＡＤから構成されている。受付装置ＡＵは、フラッシュメモリ等の半導体メモリからなる各種の半導体記録媒体から画像データを取得するための半導体ドライブ２、ＣＤ−Ｒ等のディスク型記録媒体から画像データを取得するディスクドライブ３、受付証Ｒ（図５参照）をプリントし排出する受付証プリンタ４、カメラ付き携帯電話等の機器に接続し画像データを取得するコネクタ５、および各種の表示を行うと共に顧客からの入力を可能にするタッチパネル６を表示面に形成したディスプレイ７を備えている。
【００１６】
図２は、受付装置ＡＵの機能ブロック図である。受付装置ＡＵの本体１の内部には、顧客からのオーダ受付処理を行う受付部２１と、受付けたオーダを特定可能な情報（以下、オーダ特定情報と称する）を生成するオーダ特定情報生成部２２と、オーダ特定情報をはじめとする引渡時に必要となる情報をプリントした受付証Ｒを作成する受付証作成部２３と、受付部２１により受け付けられた画像データを画像記録媒体３１に記録管理する画像管理部２４と、後述する補正量取得部４１により取得された補正量または補正量決定部４４により決定された補正量に基づき、受付部２１により受け付けられた画像データを補正する画像補正部２５と、受付部２１により受け付けられた画像データに対する補正量の入力を制御する補正量入力制御部４０と、ディスプレイ７への出力およびタッチパネル６からの入力を制御するＧＵＩ部３３と、が備えられている。
【００１７】
本実施形態では、受付部２１、オーダ特定情報生成部２２、受付証作成部２３、画像管理部２４、画像補正部２５、および補正量入力制御部４０は、ソフトウェアにより構成されるが、ハードウェアにより構成してもよいし、ソフトウェアとハードウェアとが協働する構成としても構わない。
【００１８】
また、補正量入力制御部４０は、顧客が入力する各々の画像データに対する補正量を取得する補正量取得部４１と、基準となる画像データを識別可能な情報を取得する基準画像識別情報取得部４２と、基準画像に対する補正量（以下、基準補正量と称する）に対する変更指示を取得する変更指示取得部４３と、基準補正量と変更指示とに基づき補正量（以下、対象補正量と称する）を決定する補正量決定部４４と、を備えている。
【００１９】
なお、本実施形態では、オーダ特定情報はオーダ毎に排他的に割り当てられた数字を用い、引渡装置特定情報は、各引渡装置Ｅに排他的に割り振られた数字を用いるが、他の情報を用いても構わない。また、画像管理部２４により、各々の画像データにはコマ番号が付与されており、このコマ番号を画像識別情報（基準画像識別情報、対象画像識別情報）として用いる。当然ながら、他の情報を画像識別情報として用いても構わない。
【００２０】
一方、料金受領装置ＡＤは、縦長姿勢のケース１０の上部位置に備えられ、硬貨を受領する硬貨投入孔１１Ａを備えた硬貨受領器１１、紙幣を受領する紙幣挿入孔１２Ａを備えた紙幣受領器１２、およびケース１０の下部位置に備えられ、釣銭を排出する釣銭排出口１３Ａを供えた釣銭排出器１３を備えている。
【００２１】
次に、図３のフローチャートを用いて、本発明の受付装置の処理の流れを説明する。受付装置Ａのディスプレイ７には、初期画面として各種処理へ移行するためのメニューが表示されている。顧客は、タッチパネル６を操作してオーダの受付処理に移行させる。このとき、ディスプレイ７には、顧客に対する指示が表示されており、顧客はその指示に従い、オーダに係る画像データおよび各種情報を入力する。
【００２２】
例えば、画像データが記録されている記録メディアを対応する半導体ドライブ２、ディスクドライブ３、コネクタ５のいずれかにセットし、画像データを受付装置Ａに読み込ませ、プリントする画像データを選択する。また、プリント枚数や顧客情報の入力等を行う。
【００２３】
なお、これらの入出力処理は、受付部２１の機能により実現している。また、受付部２１により取得された画像データは、画像管理部２４に送られ、画像記録媒体３１に一時的に記録される（＃０１）。このとき、各々の画像データには画像識別情報として、連番のコマ番号が付与される。また、画像データにサムネイル画像が含まれていない場合には、同時にサムネイル画像が作成され、記録される。
【００２４】
オーダに係る情報の入力が完了すると、補正量入力画面に移行する。まず、補正量入力制御部４０は、画像管理部２４を介してサムネイル画像を取得し、ＧＵＩ部３３を介してディスプレイ７に表示させる（＃０２）。
【００２５】
このときの画面を図４に示している。本実施形態では、補正量入力画面５０は、サムネイル画像を表示するサムネイル画像表示部５１、補正量を入力する補正量入力部５２、基準画像識別情報を入力する基準画像識別情報入力部５３、基準画像データの補正量に対する変更指示を入力する変更指示入力部５４、表示するサムネイル画像を変更するためのページ変更ボタン５５、補正量を反映させたプレビュー画像を表示させるプレビューボタン５６、補正量入力画面を終了させる補正終了ボタン５７を含んでいる。
【００２６】
なお、本実施形態では、補正入力画面５０の１画面には６枚のサムネイル画像の表示が可能であり、各々のサムネイル画像の近傍にはコマ番号５８が表示されている。
【００２７】
なお、各々のサムネイル画像表示部５１の下部には、各々のサムネイル画像表示部５１と関連付けられた補正量入力部５２、基準画像識別情報入力部５３、変更指示入力部５４が配置されている。したがって、補正量入力部５２、基準画像識別情報入力部５３、変更指示入力部５４が操作された際には、補正量入力制御部４０と協働することにより、どのコマ画像に対する入力がなされたかを検知することができ、対象画像識別情報取得部として機能する。
【００２８】
また、各々の補正量入力部５２は、シアン（Ｃ）に対する補正量を入力するシアン補正量入力部５２Ｃ、マゼンタ（Ｍ）に対する補正量を入力するマゼンタ補正量入力部５２Ｍ、イエロー（Ｙ）に対する補正量を入力するイエロー補正量入力部５２Ｙ、濃度に対する補正量を入力する濃度補正量入力部５２Ｄから構成されている。
【００２９】
顧客は、この補正量入力部５２を介して、表示されているサムネイル画像に対応する画像データに対する補正量を直接指示することができる。例えば、顧客がコマ番号「１」の画像データに対してシアンの補正を行う場合には、以下の処理を行う。顧客がタッチパネル６を操作して、コマ番号「１」の下に配置されているシアン補正量入力部５２Ｃを選択すると（＃０３のNo分岐）、補正量取得部４１は、ＧＵＩ部３３を介して、選択されたシアン補正量入力部５２Ｃの近傍にプルダウンメニューを表示させる。本実施形態では、プルダウンメニューには[−５，−４，−３，−２，−１，Ｎ，１，２，３，４，５]が表示されており、各数字は補正量を表し、「Ｎ」は補正なしを表している。顧客は、タッチパネル６を操作して、表示されたプルダウンメニューから所望の補正量を選択する。このとき、補正量取得部４１は、選択された補正量入力部５２が関連付けられているサムネイル画像のコマ番号を対象画像識別情報として取得すると共に、選択された補正量を取得し、メモリ３２（本発明の補正量記憶部の例）に対象画像識別情報と関連付けて記憶させる（＃０９）。同時に、シアン補正量入力部５２Ｃには、選択された補正量が表示され、顧客に対して現在設定されている補正量を認知させている。他の値を補正する場合も同様の処理であるので、説明は省略する。
【００３０】
このようにして、顧客がコマ番号「１」の画像のシアン、マゼンタ、イエロー、濃度に対して図５の補正量を入力すると、メモリ３２には図５（ａ）に示す内容が記憶されている。なお、本実施形態では、シアン、マゼンタ、イエロー、濃度に対する補正量を集合｛シアン補正量、マゼンタ補正量、イエロー補正量、濃度補正量｝で表す。また、本実施形態では、シアン、マゼンタ、イエロー、濃度に対する補正量を入力する構成としたが、ＲＧＢ等、他の色空間における補正量を入力する構成としても構わないし、コントラスト等、他の補正量を入力する構成としても構わない。
【００３１】
一方、顧客は既に入力した補正量と同じ補正量を使用したい場合がある。この場合には、顧客は基準画像識別情報入力部５３および変更指示入力部５４を介して、既に入力した補正量に基づく補正量を入力することができる。例えば、コマ番号「１」の画像に対する補正量に基づき、コマ番号「２」の画像の補正量を入力する場合を考える。この場合には、基準画像識別情報が「１」、対象画像識別情報が「２」の画像となる。
【００３２】
顧客がタッチパネル７を操作して、コマ番号「２」の画像の下に配置されている基準画像識別情報入力部５３を選択すると、基準画像識別情報取得部４２は、ＧＵＩ部３３を介して、選択された基準画像識別情報入力部５３の近傍にコマ番号の一覧をプルダウンメニューとして表示させる。このとき、選択された基準画像識別情報入力部５３に対応するコマ番号（この例では２）を除外すると好適である。顧客は、タッチパネル６を操作して、所望の基準画像のコマ番号（この例では１）を選択すると、選択されたコマ番号は基準画像識別情報取得部４２により取得される（＃０４）。同時に、基準画像識別情報入力部５３には、選択された基準画像のコマ番号が表示され、顧客に対して現在選択されている基準画像のコマ番号を認知させている。
【００３３】
このとき、基準画像識別情報取得部４２は、操作された基準画像識別情報入力部５３が対応するコマ番号を対象画像識別情報として取得すると共に、基準画像識別情報および対象画像識別情報を変更指示取得部４３および補正量決定部４４に通知する。変更指示取得部４３は、ＧＵＩ部３３を介して、対象画像に対応する変更指示入力部５４にデフォルト値として「変更なし」を表示させる（＃０５）。一方、補正量決定部４４は、基準補正量すなわち、コマ番号「１」の画像データに対する補正量｛１，２，Ｎ，−１｝をメモリ３２から取得する。このとき、変更指示が「変更なし」であるので、基準補正量を対象補正量として決定し（＃０６）、対象画像識別情報（この例では２）、基準画像識別情報（この例では１）および対象補正量（この例では｛１，２，Ｎ，−１｝）を関連付けてメモリ３２に記憶させる（＃０７、図５（ｂ）参照）。
【００３４】
また、顧客は、基準補正量を元に補正量を変更することもできる。例えば、図４のコマ番号「３」の画像に対する補正量をコマ番号「１」の画像を基準画像として入力する場合には、以下の処理が行われる。
【００３５】
まず、顧客は、上述の処理と同様にして、コマ番号「３」の画像の下に配置されている基準画像識別情報入力部５３を操作して、基準画像識別情報として「１」を入力すると、上述と同様の処理によりメモリ３２の内容は図５（ｃ）となる。
【００３６】
次に、顧客がタッチパネル６を操作し、コマ番号「３」の画像の下に配置されている変更指示入力部５４を選択すると、変更指示取得部４３は、ＧＵＩ部３３を介して、選択された変更指示入力部５４の近傍にプルダウンメニューを表示させる。本実施形態では、このプルダウンメニューには、[Ｃを強く、Ｃを弱く、Ｍを強く、Ｍを弱く、Ｙを強く、Ｙを弱く、Ｄを強く、Ｄを弱く、変更なし]が表示される。顧客は、タッチパネル６を操作し、所望の変更指示を入力する。変更指示取得部４３は、入力された変更指示および操作された変更指示入力部５４が対応するコマ番号を取得し（＃０５）、それぞれ変更指示および対象画像識別情報として補正量決定部４４に送る。この例では、対象画像識別情報として「３」、変更指示として「Ｙを強く」が補正量決定部４４に送られる。
【００３７】
変更指示および対象画像識別情報を取得した補正量決定部４４は、取得した対象画像識別情報「３」に対応する基準画像識別情報「１」をメモリ３２から取得し、その基準画像識別情報に対応付けられている補正量｛１，２，Ｎ，−１｝を基準補正量としてメモリ３２から取得する。さらに、補正量決定部４４は、取得した変更指示に基づき基準補正量を変更し、対象補正量を決定する（＃０６）。決定された対象補正量は、対象画像識別情報、基準画像識別情報と関連付けられてメモリ３２に記憶される（＃０７）。この例では、基準補正量｛１，２，Ｎ，−１｝に対して「Ｙを強く」した｛１，２，１，−１｝が対象補正量として決定され、メモリ３２に記憶される（図５（ｄ）参照）。
【００３８】
他のコマ画像に対しても図４に示す補正量入力が行われると、上述の処理によりメモリ３２の内容は、図５（ｅ）となる。
【００３９】
顧客は、表示されている画像に対する補正量の入力が完了すると、次ページボタン５５ｂを押下し、新たなコマ画像を表示させる、または、補正終了ボタン５７を押下し補正を終了させる（＃０８のYes分岐）ことができる。
【００４０】
次ページボタン５５ｂが押下された場合には、補正量入力制御部４０は、画像管理部２４を介して、現在表示している画像の次の画像のサムネイル画像を取得し、補正量入力画面５０に表示させる。上述の例の場合には、コマ番号「７」から「１２」の画像のサムネイル画像が表示される。
【００４１】
なお、表示されている最初の画像よりも小さなコマ番号が存在する場合には、前ページボタン５５ａの押下により、表示されている画像よりも前の画像を表示させることもできる。
【００４２】
また、顧客は、１画面分（この例では６画像）の補正量の入力が終了した際、または補正量の入力の途中に補正結果を確かめたい場合がある。そのような場合には、顧客はタッチパネル６を操作し、プレビューボタン５６を操作することにより、入力した補正量が反映された画像（プレビュー画像）を表示させることができる。プレビューボタン５６が押下されると、画像補正部２５は、補正量入力制御部４０から表示している画像の画像識別情報を取得し、画像管理部２４を介して、取得した画像識別情報の画像データを画像記録媒体３１から取得する。また、画像補正部２５は、取得した画像識別情報（対象画像識別情報）に関連付けられている補正量をメモリ３２から取得する。その後、各々の画像データに対して、対応する補正量を適用したプレビュー画像を作成し、メモリ３２を介して補正量入力制御部４０に渡し、補正量入力制御部４０は、ＧＵＩ部３３を介して、ディスプレイ７にプレビュー画像を表示する。
【００４３】
補正量の入力が完了すると（＃０８のYes分岐）、画像補正部２５により画像記録媒体３１に記録されている画像データに対する補正が行われる。具体的には、以下の処理が行われる。画像補正部２５は、画像管理部２４を介して、画像記録媒体３１から一の画像データを画像識別情報と共に取得する。メモリ３２から、取得した画像識別情報と対象画像識別情報が一致する補正量を取得する。取得した補正量を用いて画像データの補正を行う。
【００４４】
全ての受付処理が完了すると、オーダ特定情報生成部２２によりオーダを特定可能なオーダ特定情報が生成される。上述の処理により補正された画像データは、このオーダ特定情報と関連付けられて、画像記録媒体３１に記録される。また、受付証作成部２３により、画像プリントを顧客に引渡す際に必要な情報が作成され、受付証プリンタ４はそれらの情報を受付証Ｒにプリントし顧客に渡す。
【００４５】
その後、上述のようにして補正された画像データが銀塩プリンタ（図示せず）等に送られ、プリントされた後、顧客に引渡される。
【００４６】
このようにして、本実施形態では、既に入力された補正量に基づき、容易に他の画像データに対する補正量を入力することができる。
【００４７】
〔第２実施形態〕
次に、図面を用いて本発明による受付装置の第２実施形態を説明する。図６は、本実施形態における機能ブロック図である。本実施形態の機能部は、顧客により入力されたコメントを取得するコメント取得部４５および取得されたコメントを言語解析し、基準画像識別情報、対象画像識別情報および変更指示を取得するコメント解析部４６を備えている点および基準画像識別情報取得部４２と変更指示取得部４３とを備えていない点において第１実施形態と異なっている。なお、第１実施形態と同様の機能部には同じ符号を付しており、詳細な説明は省略する。
【００４８】
図７は、本実施形態における補正量入力画面５０である。図から明らかなように、本実施形態における補正量入力画面５０は、基準画像識別情報入力部５３および変更指示入力部５４を備えず、コメントを入力するコメント入力部５９を備えている点において第１実施形態と異なっている。
【００４９】
また、本実施形態と第１実施形態とでは、基準画像に対する補正量の入力は同様であるが、対象画像に対する補正量の入力方法が異なっている。次に、図８のフローチャートを用いて、本実施形態における処理の流れを説明する。
【００５０】
まず、受け付けられたオーダの画像データのサムネイル画像が表示されるので、顧客は個別に補正量を入力したい画像に対する補正量を入力する（＃１１〜＃１３）。なお、これらの処理は、第１実施形態の＃０１〜＃０２および＃０９→＃０７の処理と同様である。この処理により、メモリ３２には、入力された補正量が画像識別情報と関連付けられて記憶される。図７では、コマ番号「１」および「４」に対する補正量が入力されており、このときのメモリ３２の内容は、図９（ａ）となっている。
【００５１】
次に、顧客は、ディスプレイ７に表示されるソフトキーボードに対してタッチパネル６を操作して、コメント入力部５９にコメントを入力する。または、本体１に接続されたキーボード（図示せず）を用いることもできる。コメントの入力が完了すると、コメント取得部４５は、コメント入力部５９に入力されているコメントを取得する（＃１４）。図７の例では、「２と３は１と同じ」および「５と６は４よりシアンを強く」が取得される。取得されたコメントは、コメント解析部４６に送られる。
【００５２】
コメントを取得したコメント解析部４６は、コメントを解析し、コメントに含まれている基準画像識別情報、対象画像識別情報および変更指示を取得する（＃１５）。「２と３は１と同じ」の解析結果からは、基準画像識別情報として「１」、対象画像識別情報として「２，３」および変更指示として「同じ」が得られる。一方、「５と６は４よりシアンを強く」の解析結果からは、基準画像識別情報として「４」、対象画像識別情報として「５，６」および変更指示として「シアンを強く」が得られる。得られた情報は、補正量決定部４４に送られる。以下の説明では、解析結果は（基準画像識別情報、対象画像識別情報、変更指示）の形式で表現する。なお、コメントの解析は、公知のテキストマイニング等の手法を用いることができる。
【００５３】
コメントの解析結果を取得した補正量決定部４４は、これらに基づき対象画像に対する補正量を決定する。例えば、補正量決定部４４は、解析結果（１、｛２，３｝、同じ）に基づき、以下の処理を行う。まず、基準画像識別情報が「１」であるため、メモリ３２からコマ番号「１」、すなわち、対象画像情報識別情報が「１」の補正量｛１，２，Ｎ，−１｝を基準補正量として取得する。次に、変更指示が「同じ」であるため取得した補正量に対する変更は行わず、基準補正量がそのまま対象補正量として決定される（＃１６）。最後に、対象画像識別情報が「２，３」であるので、メモリ３２に対象画像識別情報「２」および「３」の補正量を決定した対象補正量｛１，２，Ｎ，−１｝、基準画像識別情報を「１」としてメモリ３２に記憶させる（＃１７）。
【００５４】
一方、解析結果（４，｛５，６｝，シアンを強く）の場合には、コマ番号「４」の補正量｛Ｎ，１，２，Ｎ｝が基準補正量としてメモリ３２から取得され、変更指示「シアンを強く」に従い、対象補正量を｛１，１，２，Ｎ｝とする（＃１６）。その後、この対象補正量をコマ番号「５」および「６」の補正量としてメモリ３２に記憶させる（＃１７）。上述の処理により、メモリ３２に記憶されている補正量は図９（ｂ）となる。
【００５５】
補正量の入力が完了すると（＃１８のYes分岐）、画像補正部２５により画像記録媒体３１に記録されている画像データに対する補正が行われ、補正後の画像データが銀塩プリンタ等に送られ、プリントされ、顧客に引渡される。
【００５６】
このように、本実施形態によれば、自由な形式により入力されたコメントに基づき、補正量が決定されるため、顧客は容易に補正量の入力を行うことができる。
【図面の簡単な説明】
【００５７】
【図１】本発明の第１実施形態における受付装置の斜視図
【図２】本発明の第１実施形態における受付装置の機能要素を表す機能ブロック図
【図３】本発明の第１実施形態における受付装置の処理の流れを表すフローチャート
【図４】本発明の第１実施形態における受付装置の補正量の入力画面を表す図
【図５】本発明の第１実施形態におけるメモリに記憶されている補正量を表す図
【図６】本発明の第２実施形態における受付装置の機能要素を表す機能ブロック図
【図７】本発明の第２実施形態における受付装置の補正量の入力画面を表す図
【図８】本発明の第２実施形態における受付装置の処理の流れを表すフローチャート
【図９】本発明の第２実施形態におけるメモリに記憶されている補正量を表す図
【符号の説明】
【００５８】
２１：受付部
２２：オーダ特定情報生成部
２３：受付証作成部
２４：画像管理部
２５：画像補正部
３１：画像記録媒体
４０：補正量入力制御部
４１：補正量取得部
４２：基準画像識別情報取得部
４３：変更指示取得部
４４：補正量決定部
【図１】
2010117660.tif 000003
【図２】
2010117660.tif 000004
【図３】
2010117660.tif 000005
【図４】
2010117660.tif 000006
【図５】
2010117660.tif 000007
【図６】
2010117660.tif 000008
【図７】
2010117660.tif 000009
【図８】
2010117660.tif 000010
【図９】
2010117660.tif 000011